(57)【要約】【課題】  本発明は、光軸方向の衝撃による影響と、磁気ノイズによる影響を低減することが可能なレンズ装置およびこれを備えたカメラシステムを提供することを目的とする。【解決手段】  カメラ本体に対して着脱可能なレンズ装置が、撮影光学系と、フォーカシングのために最も物体側のレンズとともに前記撮影光学系の光軸方向に移動する第１レンズ保持部材と、第１レンズ保持部材よりも外側に設けられた筒部材と、駆動部と、駆動部を制御するための制御部と、通信部と、を備える。そして、無限遠にフォーカシングしたときに、筒部材の物体側の端面は、最も物体側のレンズの物体側の面の面頂点よりも物体側に位置しており、制御部の物体側の端面は、最も物体側のレンズの物体側の面の面頂点よりも物体側に位置している。【選択図】  図１
2020038295.tif 000002
【特許請求の範囲】
【請求項１】
撮像素子を有するカメラ本体に対して着脱可能なレンズ装置であって、
複数のレンズを備える撮影光学系と、
前記複数のレンズのうち少なくとも最も撮影光学系における物体側のレンズを保持するとともにフォーカシングのために前記最も物体側のレンズとともに前記撮影光学系の光軸方向に移動する第１レンズ保持部材と、
前記第１レンズ保持部材よりも外側に設けられた筒部材と、
前記第１レンズ保持部材を前記フォーカシングのために前記光軸方向に移動させるための駆動部と、
前記駆動部を制御するための制御部と、
前記カメラ本体と通信するための通信部と、を備え、
無限遠にフォーカシングしたときに、前記筒部材の前記物体側の端面は、前記最も物体側のレンズの前記物体側の面の面頂点よりも前記光軸方向において前記物体側に位置しており、
前記無限遠にフォーカシングしたときに、前記制御部の前記物体側の端面は、前記最も物体側のレンズの前記物体側の面の面頂点よりも前記光軸方向において前記物体側に位置している、
ことを特徴とするレンズ装置。
【請求項２】
至近にフォーカシングしたときに、前記制御部の前記物体側の端面は、前記最も物体側のレンズの前記物体側の面の面頂点よりも前記光軸方向において前記撮影光学系における像面側に位置している、
ことを特徴とする請求項１に記載のレンズ装置。
【請求項３】
前記制御部は前記駆動部を駆動させるための駆動コイルを有し、
前記駆動コイルが有する電線は前記光軸方向と直交する方向周りに巻かれている、
ことを特徴とする請求項１または２に記載のレンズ装置。
【請求項４】
前記光軸方向と平行な方向視及び直交する方向視のうち少なくとも一方の方向視において前記駆動コイルの少なくとも一部を覆う第１のシールド部材をさらに備える、
ことを特徴とする請求項３に記載のレンズ装置。
【請求項５】
前記第１のシールド部材は前記光軸方向と直交する方向視において前記駆動コイルの少なくとも一部を覆う形状を有し、
前記駆動コイルを中心として前記第１のシールド部材が設けられている側とは反対側に設けられた第２のシールド部材をさらに備える、
ことを特徴とする請求項４に記載のレンズ装置。
【請求項６】
前記制御部は前記光軸方向を中心とする周方向に配置され、それぞれ前記駆動コイルを含む複数の実装部と、前記複数の実装部の間をつなぐフレキシブルケーブル部と、を有する、
ことを特徴とする請求項１乃至５のいずれか一項に記載のレンズ装置。
【請求項７】
前記撮影光学系の無限遠状態でのＦナンバーをＦｎｏとしたときに
０．９≦Ｆｎｏ≦２．８
を満足する、
ことを特徴とする請求項１乃至６のいずれか一項に記載のレンズ装置。
【請求項８】
前記撮影光学系は物体側から像側へ順に、正の屈折力を持つ前群、開口絞り、後群からなり、前記前群の焦点距離をｆｆとし、前記後群の焦点距離をｆｒとするとき、
０．１≦ｆｒ／ｆｆ≦０．７
を満足する、
ことを特徴とする請求項１乃至７のいずれか一項に記載のレンズ装置。
【請求項９】
前記撮影光学系の無限遠状態の焦点距離をｆとし、前記複数のレンズのうちフォーカシングの際に移動するレンズ群の無限遠状態から至近状態への移動量をΔｄとするとき、
０．１≦｜Δｄ／ｆ｜≦０．５
を満足する、
ことを特徴とする請求項１乃至８のいずれか一項に記載のレンズ装置。
【請求項１０】
前記撮影光学系の無限遠状態でのバックフォーカスをＢＦとするとき、
０．１≦｜ＢＦ／ｆ｜≦０．６
を満足する、
ことを特徴とする請求項１乃至９のいずれか一項に記載のレンズ装置。
【請求項１１】
前記複数のレンズのうち、最も径が大きいレンズの径をＤｍａｘとし、最も径が小さいレンズの径をＤｍｉｎとするとき、
０．４０≦Ｄｍｉｎ／Ｄｍａｘ＜１．０
を満足する、
ことを特徴とする請求項１乃至１０のいずれか一項に記載のレンズ装置。
【請求項１２】
請求項１乃至１１のいずれか一項に記載のレンズ装置と、
前記レンズ装置からの光を受光する撮像素子と、を備える、
ことを特徴とするカメラシステム。
【発明の詳細な説明】
【背景技術】
【０００１】
最も物体側（拡大共役側）に設けられたレンズを含む複数のレンズが光軸方向に移動することでフォーカシングを行う交換レンズ（レンズ装置）として特許文献１に記載のレンズ装置が知られている。特許文献１に記載の交換レンズは、物体側から順に正の屈折力を有する第１レンズユニット、正または負の屈折力を有する第２レンズユニットを有し、フォーカシングの際には第１レンズユニットが光軸方向へ移動する。そして、第１レンズユニットは、物体側から順に正の屈折力を有する第１サブレンズユニット、絞り、正の屈折力を有する第２サブレンズユニットを有する。
【先行技術文献】
【特許文献】
【０００２】
【特許文献１】特開２０１３−２１８０１５号公報
【発明の概要】
【発明が解決しようとする課題】
【０００３】
特許文献１に記載の交換レンズに対して物体側から光軸方向の衝撃が加わってしまった場合を考える。この場合に、最も物体側のレンズを保持する前側レンズ保持枠が、前側レンズ保持枠の外側に設けられた外側筒部材よりも物体側に突出していると、上記の衝撃が前側レンズ保持枠に直接作用してしまうために好ましくない。仮に上記の衝撃が前側レンズ保持枠に直接作用してしまうと、前側レンズ保持枠内部のレンズの形状や位置が変化するという影響が生じる可能性がある。このため、少なくとも無限遠にフォーカシングしたときにおいては外側筒部材が前側レンズ保持枠よりも物体側に突出していることが好ましい。
【０００４】
なお、特許文献１に記載の交換レンズのように、最も物体側に設けられたレンズが光軸方向に移動する場合には、至近にフォーカシングしたときに最も物体側に設けられたレンズが自身の移動可能範囲において最も物体側に位置する。そして、無限遠にフォーカシングしたときに最も物体側に設けられたレンズが自身の移動可能範囲において最も像側に位置する。
【０００５】
特許文献１には明記されていないが、フォーカシング時にレンズを光軸方向に移動させるための超音波モータ（ＵＳＭ）などのアクチュエータと、このアクチュエータを制御するための制御基板を有する構成の交換レンズが広く知られている。このような構成の交換レンズを、撮像素子を有するカメラ本体に装着した場合に、前述の制御基板と撮像素子が近すぎると、制御基板が発する磁気ノイズが撮像素子に到達して撮影画像の画質が低下してしまうという影響が生じる可能性がある。
【０００６】
以上説明した光軸方向の衝撃による影響と、磁気ノイズによる影響を低減することが可能な交換レンズの構成は特許文献１には開示されていない。
【０００７】
そこで本発明は、光軸方向の衝撃による影響と、磁気ノイズによる影響を低減することが可能なレンズ装置およびこれを備えたカメラシステムを提供することを目的とする。
【課題を解決するための手段】
【０００８】
上記目的を達成するために、本発明のレンズ装置は、
撮像素子を有するカメラ本体に対して着脱可能なレンズ装置であって、
複数のレンズを備える撮影光学系と、
前記複数のレンズのうち少なくとも最も物体側のレンズを保持するとともにフォーカシングのために前記最も物体側のレンズとともに前記撮影光学系の光軸方向に移動する第１レンズ保持部材と、
前記第１レンズ保持部材よりも外側に設けられた筒部材と、
前記第１レンズ保持部材を前記フォーカシングのために前記光軸方向に移動させるための駆動部と、
前記駆動部を制御するための制御部と、
前記カメラ本体と通信するための通信部と、を備え、
無限遠にフォーカシングしたときに、前記筒部材の前記物体側の端面は、前記最も物体側のレンズの前記物体側の面の面頂点よりも前記光軸方向において前記物体側に位置しており、
前記無限遠にフォーカシングしたときに、前記制御部の前記物体側の端面は、前記最も物体側のレンズの前記物体側の面の面頂点よりも前記光軸方向において前記物体側に位置している、
ことを特徴とする。
【発明の効果】
【０００９】
光軸方向の衝撃による影響と、磁気ノイズによる影響を低減することが可能なレンズ装置およびこれを備えたカメラシステムを提供することが可能となる。
【図面の簡単な説明】
【００１０】
【図１】第１実施例における無限状態のレンズ鏡筒およびカメラの模式図である。
【図２】第１実施例における至近状態のレンズ鏡筒およびカメラの模式図である。
【図３】第１実施例における回路基板周辺の構造の分解斜視図である。
【図４】第１実施例における回路基板と通信基板の接続関係を示すための部分断面図である。
【図５】第１実施例におけるフィルター枠部の分解斜視図である。
【図６】第１実施例における駆動コイルから発する磁気ノイズと光軸の関係図である。
【図７】第１実施例における外装筒を取り外した状態の分解図である。
【図８】第１実施例における図７におけるＡ−Ａ部での断面図である。
【図９】第２実施例における駆動コイルと磁気シールドの関係を示す模式図である。
【図１０】第２実施例における回路基板の斜視図である。
【図１１】第１数値実施例におけるレンズ断面図
【図１２】第１数値実施例における無限遠、至近合焦時における収差図
【図１３】第２数値実施例におけるレンズ断面図
【図１４】第２数値実施例における無限遠、至近合焦時における収差図
【図１５】第３数値実施例におけるレンズ断面図
【図１６】第３数値実施例における無限遠、至近合焦時における収差図
【図１７】第４数値実施例におけるレンズ断面図
【図１８】第４数値実施例における無限遠、至近合焦時における収差図
【図１９】第５数値実施例におけるレンズ断面図
【図２０】第５数値実施例における無限遠、至近合焦時における収差図
【発明を実施するための形態】
【００１１】
（第１実施例）
図１〜図８を用いて第１実施例におけるレンズ装置２００及びレンズ装置２００を装着可能なカメラ本体１００の構成について説明する。レンズ装置２００とカメラ本体１００の総称をカメラシステムとする。
【００１２】
（カメラ本体の構成）
まず、図１及び図２を用いてカメラ本体１００の構成について説明する。図１はレンズ装置２００の撮影距離が無限遠状態であるときの模式図を表しており、図２はレンズ装置２００の撮影距離が至近状態であるときの模式図を表している。言い換えれば、図１は無限遠に合焦した状態のレンズ装置２００の模式図であり、図２は至近に合焦した状態のレンズ装置２００の模式図である。
【００１３】
図１及び図２において１００はカメラ本体（以下、単にカメラという）である。２００はカメラ１００に対して着脱可能なレンズ装置である。つまり、レンズ装置２００は交換レンズである。
【００１４】
メインミラー１０１はレンズ装置２００からの光束の光路上に配置され、その光束の一部を反射してファインダ光学系（１０５、１０６）に導き、かつ残りの光束を透過させる。メインミラー１０１の背後（像面側）にはサブミラー１０２が配置されており、メインミラー１０１を透過した光束を反射して焦点検出ユニット１０３に導く。なお、メインミラー１０１およびサブミラー１０２は不図示の駆動機構により上記光路から一体的に挿脱することができる。
【００１５】
焦点検出ユニット１０３は、いわゆる位相差検出方式での焦点検出（レンズ装置２００の焦点状態の検出）を行う。１０４はＣＣＤセンサ又はＣＭＯＳセンサにより構成される撮像部としての撮像素子である。この撮像素子１０４の受光面（撮像面）上にはメインミラー１０１およびレンズ装置２００からの光束による物体像（像）が結像する。撮像素子１０４は、結像した被写体像を光電変換し、撮像信号を出力する。
【００１６】
１０７はデイスプレイパネルであり、撮像素子１０４の信号が入力された不図示の信号処理部から出力される画像やその他様々な撮像情報を表示する機能を持つ。
【００１７】
カメラ１００は、メインミラー１０１、サブミラー１０２、焦点検出ユニット１０３、撮像素子１０４、ファインダ光学系１０５、１０６を有する一眼レフカメラである。なお、カメラ１００はメインミラー１０１及びサブミラー１０２等を有さないミラーレスカメラであってもよい。
【００１８】
また、焦点検出ユニット１０３を設ける代わりに、撮像素子１０４に撮像面位相差検出方式のＡＦを行うための像信号を生成する焦点検出用画素（ＡＦ用画素）を設けてもよい。また、撮像素子１０４から得られる信号に基づいてコントラスト検出方式で焦点検出を行ってもよい。
【００１９】
（レンズ装置の構成）
次に図１及び図２を用いてレンズ装置２００の構成について説明する。図１及び図２がどのような図であるかは前述の通りである。図１及び図２では、撮影光学系の光軸（以下光軸という）ＯＡの方向をＺ方向とし、光軸ＯＡに対して直交する方向であって、撮像素子１０４の撮像面に平行な２方向のうち横方向をＸ方向、縦方向をＹ方向としている。
【００２０】
レンズ装置２００は、後述する案内筒２０６とカム筒２０７の相対移動によって、移動レンズ群を光軸方向に移動させて合焦動作（フォーカシング）を行うことができる。ここでいう移動レンズ群は合焦動作の際に隣接するレンズ群（レンズユニット）との間の間隔が変化するように構成されているフォーカスレンズユニットである。
【００２１】
第１レンズＧ１、第２レンズＧ２、第３レンズＧ３は、第１レンズ保持枠（第１レンズ保持部材）２０１に保持されている。後述のように第１レンズ保持枠２０１はフォーカシングの際に移動する。そして、撮影光学系が有する複数のレンズのうち最も物体側のレンズである第１レンズＧ１を保持する。つまり、第１レンズ保持枠２０１はフォーカシングのために第１レンズＧ１とともに撮影光学系の光軸方向に移動する。
【００２２】
第４レンズＧ４、第５レンズＧ５、第６レンズＧ６は第２レンズ保持枠（第２レンズ保持部材）２０２に保持されている。第１レンズ保持枠２０１と第２レンズ保持枠２０２は、互いにビスで固定されている。第７レンズＧ７、第８レンズＧ８、第９レンズＧ９、第１０レンズＧ１０、第１１レンズＧ１１は、第３レンズ保持枠（第３レンズ保持部材）２０３に保持されている。第２レンズ保持枠２０２は第３レンズ保持枠２０３に対して、カムフォロア２２２により製造工程において位置調整可能に保持されている。製造工程における位置調整が完了したあとは、第３レンズ保持枠２０３に対する第２レンズ保持枠２０２の位置は変化しない。第１２レンズＧ１２、第１３レンズＧ１３、第１４レンズＧ１４、第１５レンズＧ１５は、第４レンズ保持枠（第４レンズ保持部材）２０４に保持されている。第４レンズ保持枠２０４は案内筒２０６に対してビスで固定されている。
【００２３】
絞りユニット２０５は、第７レンズＧ７の物体側（物体面側）に配置され、被写体からカメラ１００側に至る光束の光量を調節する。絞りユニット２０５と通信基板２１２とは不図示のフレキシブルプリント基板で接続されている。
【００２４】
２０６は案内筒であり、第１から第３レンズ保持枠２０１、２０２、２０３を光軸方向にガイドするための直進溝が光軸回り方向（以下、周方向という）にて等間隔に３本設けられている。
【００２５】
２０７はカム筒である。カム筒２０７は案内筒２０６の外周に設けられている。カム筒２０７には、第１から第３のレンズ保持枠２０１、２０２、２０３を光軸ＯＡ方向に駆動するカム溝部（図示せず）が周方向に等間隔に３本設けられている。
【００２６】
カム筒２０７が周方向に回転すると、カム筒２０７と案内筒２０６に設けられたカム溝と直進溝に係合する第３レンズ保持枠２０３に設けられた不図示のカムフォロアによって光軸ＯＡ方向に第３レンズ保持枠が進退する。第３レンズ保持枠２０３に対する第２レンズ保持枠２０２の位置は固定されている。そして、第１レンズ保持枠２０１と第２レンズ保持枠２０２は互いにビスで固定されている。したがって、カム筒２０７が回転すると光軸ＯＡ方向に第１レンズ保持枠２０１、第２レンズ保持枠２０２、第３レンズ保持枠２０３が進退する。
【００２７】
２０８はフォーカス操作環であり、いわゆる電子リングである。フォーカス操作環２０８は保持部材２０９によって、光軸ＯＡには移動が阻止されながら、光軸ＯＡ周りに回転可能に保持されている。
【００２８】
保持部材２０９はフォーカス固定筒２１０に設けられた穴部に圧入されることで保持されている。２１１はフォーカスモーターユニットであり、本実施例では圧電セラミックに電圧を加えたときの変形を利用して回転する超音波モータである。フォーカスモーターユニット２１１の出力キー２２１は、カム筒２０７と係合している。フォーカスモーターユニット２１１によりカム筒２０７に回転力が与えられると、前述のように第１から第３のレンズ保持枠２０１、２０２、２０３が光軸ＯＡ方向に進退し、フォーカシングが行われる。第１から第３のレンズ保持枠２０１、２０２、２０３以外のレンズ保持枠はフォーカシングの際には光軸ＯＡ方向に進退しない。
【００２９】
フォーカス操作環２０８が回転されると、不図示のフォトインタラプタによりフォーカス操作環２０８の回転量が検出され、その値に基づいてフォーカスモーターユニット（駆動部）２１１が駆動される。つまり、フォーカスモーターユニット２１１は第１レンズ保持枠２０１をフォーカシングのために光軸方向へ移動させるための駆動部である。回転量の検出方法については公知のものであるため詳細は省略する。
【００３０】
２１３はマウントである。レンズ装置２００はマウント２１３を介し、カメラ１００に対して着脱可能となっている。
【００３１】
（回路基板周辺の構造）
次に図３から図５を用いて、回路基板（駆動基板）３００について説明する。図３は本実施例における回路基板３００周辺の構造の分解斜視図である。図４は回路基板３００と通信基板の接続関係を示すための部分断面図であり、図５はフィルター枠部周辺の構造の分解斜視図である。
【００３２】
回路基板３００はリジット基板で構成され、フォーカスモーターユニット２１１を駆動するための電気素子が実装されている。３０１ｂ、３０２ｂ、３０３ｂ、３０４ｂは駆動コイルである。回路基板３００は電気素子が実装される４つの電気素子実装部（実装部）３０１、３０２、３０３、３０４に分割されている。図３に示すように、４つの実装部はフレキシブルケーブル部により互いに接続されている。
【００３３】
回路基板３００は通信基板２１２と通信ケーブル３０９で接続されており、互いに通信可能になっている。図４に示すように、通信ケーブル３０９は回路基板コネクタ３０８と通信基板コネクタ２１２ａに接続されている。回路基板３００と通信基板２１２の接続方法については後により詳細に説明する。回路基板３００は通信基板２１２から駆動指令が出力されると、その値に基づいてフォーカスモーターユニット２１１を駆動する。つまり、回路基板３００は駆動部であるフォーカスモーターユニット２１１を制御するための制御部である。通信基板２１２はカメラ１００と通信を行うための通信部である。
【００３４】
２１５はフィルター枠（筒部材）である。フィルター枠２１５にはフィルターねじ部２１５ａが設けられており、光学フィルターが取り付け可能となっている。また、フィルター枠２１５にはフードを取り付けるためのバヨネット溝部２１５ｂが設けられている。フィルター枠２１５は第１レンズ保持枠２０１よりも外側に設けられている。
【００３５】
２１６は基板保持枠である。基板保持枠２１６は回路基板３００を保持するための複数のピン２１６ａが設けられている。また、基板保持枠２１６の穴部２１６ｂと、回路基板３００に設けられた突起部３０５とが係合することで、回路基板３００の周方向への移動を規制している。
【００３６】
回路基板３００は基板保持枠２１６と、フィルター枠２１５によって前後から挟まれた状態で、基板保持枠２１６とフィルター枠２１５が締結されることで光軸ＯＡ方向への移動が規制されている。図５に示すように、回路基板３００は基板保持枠２１６およびフィルター枠２１５に保持された状態で、フィルター枠２１５に設けられた開口部２１５ｃから、案内筒２０６のねじ穴部２０９ａにねじ２２０によって締結される。
【００３７】
（磁気ノイズの影響を低減するための構成）
回路基板３００が有する駆動コイル３０１ｂ、３０２ｂ、３０３ｂ、３０４ｂから撮像素子１０４に到達する磁気ノイズについて説明する。磁気ノイズの大きさは一般的に距離の３乗に反比例するため、撮像素子１０４から磁気ノイズの発生源が離れるほど撮影画像への影響は小さくなる。本実施例における磁気ノイズの発生源は、第１から第４の駆動コイル３０１ｂ、３０２ｂ、３０３ｂ、３０４ｂである。
【００３８】
本実施例では、図１及び図２に示すようにフォーカシングする際に第１レンズ群が移動した場合でも、レンズ装置２００の全長が変化せずに、第１レンズＧ１の物体側の面頂点がフィルター枠２１５の先端部より突出しないようにしている。これにより直接レンズに対して衝撃が加わりにくくしている。ここでいう第１レンズ群とはフォーカシングの際に移動する第１から第３のレンズ保持枠２０１、２０２、２０３に保持されている複数のレンズの集合である。より詳細には本実施例においては第１レンズＧ１〜第１１レンズＧ１１が第１レンズ群（第１レンズユニット）である。そして、第１２レンズＧ１２〜第１５レンズＧ１５は第２レンズ群（第２レンズユニット）である。
【００３９】
このような構成を採用すると、レンズ装置２００の物体側に空間を確保することができる。つまり、本実施例では衝撃対策構造として、無限遠及び至近にフォーカシングした際に、第１レンズＧ１の物体側の面頂点よりもフィルター枠２１５の先端部（物体側の端面）が物体側に突出する構造を採用している。これにより、レンズ装置２００に対する物体側からの衝撃をレンズ装置２００内部のレンズに伝わりにくくすることができる。
【００４０】
フィルター枠２１５の先端部を物体側に突出させているために、仮に回路基板３００が通信基板２１２に設けられている場合には、本実施例において回路基板３００が設けられている空間はデッドスペースとなってしまう。そこで本実施例では、前述の衝撃対策構造を採用し、かつ回路基板３００が通信基板２１２に設けられている場合に生じてしまうデッドスペースに回路基板３００を設けている。これにより、デッドスペースを有効利用することができ、回路基板３００を通信基板２１２と異なる位置に設けたとしてもレンズ装置２００が径方向に大型化してしまうことを抑制することができる。さらにこのデッドスペースは通信基板２１２よりも撮影光学系における物体側に設けられている。つまり、本実施例では、レンズ装置２００をカメラ１００に装着した状態で考えると、磁気ノイズ発生源を含む回路基板３００を撮像素子１０４から離れた位置に置くことができる。この結果、本実施例ではレンズ装置２００の小型化を実現しつつ、磁気ノイズの影響を抑制することができる。
【００４１】
より詳細には、図１及び図２に示すように、レンズ装置２００においては、少なくとも無限遠状態においては回路基板３００の物体側端面（側面）３０１ａが第１レンズＧ１の物体側面頂点よりも物体側に配置している。他の回路基板３００の物体側端面３０２ａ、３０３ａ、３０４ａに関しても同様である。これにより、前述のようにレンズ装置２００の外径の増大を抑制しつつ、撮像素子１０４から磁気ノイズの発生源である第１から第４の駆動コイル３０１ｂから３０４ｂを離れた位置に配置することが可能である。よって、小型で撮像素子に到達する磁気ノイズの低減に対して有利なレンズ装置を提供することができる。
【００４２】
回路基板３００の物体側端面はより詳細には次に説明する通りである。図３に示すように、回路基板３００は光軸方向を中心とする周方向に配置された複数の電気素子実装部と、複数の電気素子実装部の間をつなぐフレキシブルケーブル部と、を有する。ここでいう複数の電気素子実装部とは前述の電気素子実装部３０１、３０２、３０３、３０４である。また、ここでいうフレキシブルケーブル部とは、図３に示す接続部３０６、３０７、そして不図示のもう一つの接続部のことである。接続部３０６は電気素子実装部３０４と３０３の間をつなぐ。接続部３０７は電気素子実装部３０３と３０２の間をつなぐ。そして、図３には不図示の接続部は電気素子実装部３０２と３０１の間をつなぐ。
【００４３】
各電気素子実装部は各接続部に直接つながっている連結部分と、この連結部分の上下に設けられた基板部を有している。この基板部に前述の駆動コイルやその他の電気素子が設けられている。回路基板３００の物体側端面はここでいう連結部分の物体側の側面あるいは基板部の物体側の側面としてもよい。
【００４４】
本実施例では、複数の電気素子実装部のうち少なくとも１つは、連結部分の下側（裏側）に設けられた基板部の下側（裏側）に設けられた板状部材を有する。この板状部材の物体側の側面を回路基板３００の物体側端面としてもよい。板状部材は弾性を有する。この板状部材の下側（裏側）に後述の第２の磁気シールド４０２が設けられている。
【００４５】
複数の電気素子実装部の中に、他の電気素子実装部とは大きさが異なる電気素子実装部がある場合が考えられる。この場合には複数の電気素子実装部のうちもっとも物体側に突出している電気素子実装部が有する連結部分、基板部、板状部材のいずれかの物体側の側面を回路基板３００の物体側端面とすればよい。
【００４６】
また、本実施例では至近状態（至近にフォーカシングした状態）においては、回路基板３００の物体側端面３０１ａが第１レンズＧ１の物体側の面頂点よりも像面側に配置されている。つまり、フォーカスシングにより第１レンズ群が移動する範囲内に、回路基板３００が配置されている。他の回路基板３００の物体側端面３０２ａ、３０３ａ、３０４ａに関しても同様である。これにより、レンズ装置２００の全長を長くすることなく、撮像素子１０４から磁気ノイズの発生源である第１から第４の駆動コイル３０１ｂから３０４ｂを離れた位置に配置することが可能である。よって、小型で撮像素子に到達する磁気ノイズの低減に対して有利なレンズ装置を提供することができる。
【００４７】
さらに、本実施例では、回路基板３００をリジット基板にしており、電気素子の実装部を４つに分割している。そのため、回路基板３００を光軸ＯＡの周方向に配置可能であり、レンズ装置の外径を大きくすることなく、回路基板３００を収納可能としている。なお、本実施例では、回路基板３００の実装部の分割数を４つとしたが、巻きつけるように配置可能であればよく、５つ以上でもよく、３つ以下であってもよい。
【００４８】
（磁気ノイズの模式図）
図６では本実施例における第１の駆動コイル３０１ｂから発する磁気ノイズを模式的に表している。第１の駆動コイル３０１は図６中のＹ軸周り（光軸ＯＡに直交する軸あるいは方向周り）に電線（導線）３０１０ｂが巻かれている。第２から第４の駆動コイル３０２ｂ、３０３ｂ、３０４ｂも第１の駆動コイル３０１ｂと同様な構成のため、説明は省略する。図６に示すように第１の駆動コイル３０１ｂから発する磁気ノイズはＹ軸方向に放射されやすくなっている。このように、第１の駆動コイル３０１ｂをＹ軸周りに電線が巻かれるように配置することで、より撮像素子１０４に到達する磁気ノイズを低減することが可能である。
【００４９】
（回路基板と通信基板の接続方法）
次に、図４及び図７を用いて、回路基板３００と通信基板２１２の接続方法ついて説明する。
【００５０】
図７は外装筒２１４を取り外した状態のレンズ装置２００の分解図であり、図８は図７におけるＡ−Ａ部での断面図である。図４に示すように、回路基板３００は通信基板２１２と通信ケーブル３０９で接続されており、互いに通信可能になっている。通信ケーブル３０９は回路基板コネクタ３０８と通信基板コネクタ２１２ａに接続されている。また、通信ケーブル３０９はフォーカス固定筒２１０に対して、両面テープにより接着固定されている。
【００５１】
２１７はストッパ部材であり、ストッパ部材２１７は通信ケーブル３０９が回転動作するカム筒２０７に対して、接触を防止するための部材である。２１８はユニット固定筒であり、フォーカスモーターユニット２１１や、後述するスケール筒２１９などを保持してフォーカス駆動ユニットを形成する非回転の部材である。ユニット固定筒２１８は案内筒２０６に対してビス固定され、保持されている。
【００５２】
スケール筒２１９は非接触のセンサ（不図示）でフォーカスモーターユニット２１１の回転量を検知するためのスケールを保持するための部材である。また、スケール筒２１９には出力キー２２１がビスにより固定されている。
【００５３】
３１０は中継ケーブルであり、中継ケーブル３１０は回路基板３００と接続されており、回路基板３００から出力され、フォーカスモーターユニット２１１を駆動するための電力を電力ケーブル３１１に伝える。電力ケーブル３１１は中継ケーブル３１０のコネクタ部３１０ａに接続され、フォーカスモーターユニット２１１に電力を供給する。２１７ａは電力ケーブル３１１の浮きを防止するための形状である。２２３は保持板金であり、保持板金２２３は通信ケーブル３０９が回転するスケール筒２１９およびカム筒２０７に接触することを防止する。
【００５４】
（出力キー及びカム筒の回転範囲）
次に図８を用いて出力キー２２１とカム筒２０７の回転範囲について説明する。２１８ａおよび２１８ｂはユニット固定筒２１８に設けられた、出力キー２２１の回転範囲を規制するための突き当て部（規制部）である。カム筒２０７と係合した出力キー２２１が突き当て部２１８ａおよび２１８ｂに当接することで、カム筒２０７の回転範囲が規制される。このとき本実施例では図８に示すように出力キー２２１の回転範囲は約１４０度としている。つまり、出力キー２２１が通過しない範囲がある。
【００５５】
これにより、回路基板３００と通信基板２１２を接続するための通信ケーブル３０９がレンズ装置２００内部での設置自由度が向上する。本実施例とは異なり、出力キー２２１が通過しない範囲を設けない場合には、スケール筒２１９の外径側に通信ケーブル３０９を通す必要がある。この場合に、回転するスケール筒２１９から十分なクリアランスを確保しようとすると、レンズ装置２００が大型化してしまう。つまり、本実施例のように非回転のユニット固定筒２１８の内径側に通信ケーブル３０９を通すようにすることで、断線を防止しつつ、レンズ装置２００の小型化が可能である。
【００５６】
本実施例では、出力キー２２１の回転範囲を１４０度としたが、回路基板３００と通信基板２１２を接続するためのケーブルが配置できればよく、これに限定されるものではない。
【００５７】
（第２実施例）
図９及び図１０を用いて第２実施例のレンズ装置について説明する。
【００５８】
図９は本実施例における回路基板３０００の一部構造の模式図である。前述の第１実施例における回路基板３００と異なり、本実施例における回路基板３０００は第１の磁気シールド（第１のシールド部材）４０１と第２の磁気シールド（第２のシールド部材）４０２を第１の駆動コイル３０１ｂの周囲に設けている。第２から第４の駆動コイル３０２ｂ、３０３ｂ、３０４ｂの周囲にも同様の２つの磁気シールドが設けられている。
【００５９】
図１０は第１の磁気シールド４０１と第２の磁気シールド４０２を有する回路基板３０００の斜視図である。図１０（ｃ）は図１０（ａ）からフレキシブルプリント基板を取り除いた図であり、図１０（ｄ）は図１０（ｂ）からフレキシブルプリント基板を取り除いた図である。図１０に示すように、第１の磁気シールド４０１は展開すると十字形状となる形状を有しており、各駆動コイルを完全にではないが覆っている。また、第２の磁気シールド４０２は各駆動コイルの裏側（第１の磁気シールド４０１が設けられている側とは反対側）に設けられている。
【００６０】
第１の磁気シールド４０１および第２の磁気シールド４０２は銅などの一般的に非磁性体で導電性の高い材料、つまり磁気シールド効果が得られる材料であればよい。
【００６１】
本実施例のように磁気シールド部材を配置することで、レンズ装置の全長が短いために回路基板が有する駆動コイルを撮像素子１０４から十分に離せない場合においても、駆動コイルから発する磁気ノイズが撮像素子１０４に到達しにくくすることができる。よって、小型で撮像素子に到達する磁気ノイズの低減に対して有利なレンズ装置を提供することができる。
【００６２】
第１の磁気シールド４０１は、光軸方向と平行な方向視及び直交する方向視のうち少なくとも一方の方向視において駆動コイルの少なくとも一部を覆う。本実施例においては、少なくとも光軸方向と直交する方向視においては駆動コイルの全体が第１の磁気シールド４０１によって覆われている。また、第２の磁気シールド４０２は、駆動コイルを中心として第１のシールド４０１が設けられている側とは反対側に設けられているともいえる。
【００６３】
（撮影光学系の構成についての説明）
図１１〜図２０を用いて前述の各実施例におけるレンズ装置に搭載可能な撮影光学系の構成について説明する。前述の第１及び第２実施例として説明したレンズ装置には、下記の第１数値実施例〜第５数値実施例に示すいずれかの撮影光学系が搭載されている。もちろん本発明は下記の第１数値実施例〜第５数値実施例に示すいずれの撮影光学系を搭載したレンズ装置に限定されるものではない。
【００６４】
（各図の説明）
図１１は第１数値実施例の光学系のレンズ断面図である。図１２（Ａ）、（Ｂ）はそれぞれ第１数値実施例の無限遠、至近合焦時における収差図である。図１３は第２数値実施例の光学系のレンズ断面図である。図１４（Ａ）、（Ｂ）はそれぞれ第２数値実施例の無限遠、至近合焦時における収差図である。
【００６５】
図１５は第３数値実施例の光学系のレンズ断面図である。図１６（Ａ）、（Ｂ）はそれぞれ第３数値実施例の無限遠、至近合焦時における収差図である。図１７は第４数値実施例の光学系のレンズ断面図である。図１８（Ａ）、（Ｂ）はそれぞれ第４数値実施例の無限遠、至近合焦時における収差図である。図１９は本発明の第５数値実施例の光学系のレンズ断面図である。図２０（Ａ）、（Ｂ）はそれぞれ第５数値実施例の無限遠、至近合焦時における収差図である。
【００６６】
各収差図において、ｄ、ｇは各々ｄ線、ｇ線を表す。ΔＭ、ΔＳはメリディオナル像面、サジタル像面である。また、歪曲収差はｄ線によって表している。ωは半画角（撮影画角の半分の値）（度）、ＦｎｏはＦナンバーである。
【００６７】
各レンズ断面図において、左方が物体側（前方）で、右方が像側（後方）である。ｉは物体側からのレンズ群の順番を示し、Ｌｉは第ｉレンズ群である。レンズ断面図において、ＬＦは正の屈折力の前方レンズ群（または前群）、ＬＲは正の屈折力の後方レンズ群（または後群）である。
【００６８】
第１数値実施例〜第３数値実施例および第５数値実施例において、Ｌ１は正の屈折力の第１レンズ群（または１群、第１レンズユニット）、Ｌ２は正の屈折力の第２レンズ群（または２群、第２レンズユニット）である。第４数値実施例において、Ｌ１は正の屈折力の第１レンズ群（または１群、第１レンズユニット）である。
【００６９】
ＳＰは絞り（あるいは虹彩絞り）、ＩＰ（１０４）はＣＣＤセンサやＣＭＯＳセンサなどの撮像素子の感光面が位置する像面である。
【００７０】
各数値実施例の撮影光学系は、物体側から像側へ順に正の屈折力を持つ前方レンズ群ＬＦ、開口絞りＳＰ、正の屈折力を持つ後方レンズ群ＬＲからなる。
【００７１】
第１数値実施例から第３数値実施例および第５数値実施例ではＬ１はフォーカシングに際して移動する正の屈折力の第１レンズ群、Ｌ２はフォーカシングに際して不動の正の屈折力を持つ第２レンズ群である。第４数値実施例ではＬ１はフォーカシングに際して移動する正の屈折力の第１レンズ群である。第４数値実施例ではフォーカシングの際に光学系全体が移動する。各数値実施例において第１レンズ群Ｌ１がフォーカシングの際に光軸方向へ移動するフォーカスレンズユニットに相当する。
【００７２】
前述の第１及び第２実施例におけるレンズ装置では第１〜第３、第５数値実施例と同様に第１レンズ群Ｌ１と第２レンズ群Ｌ２を有しているが、第４数値実施例のように光学系全体を移動させてフォーカシングを行っても良い。
【００７３】
各数値実施例では無限遠から近距離（至近）へのフォーカシングの際に、点線の矢印に示す如く第１レンズ群Ｌ１を物体側へ移動させる。
【００７４】
（条件式の説明）
各数値実施例の撮影光学系において、好ましくは次の条件式のうち１つ以上を満足するのがよい。
【００７５】
各条件式中の符号の定義について説明する。撮影光学系の物体距離無限遠での状態（無限遠に合焦した状態）のＦナンバーをＦｎｏとし、撮影光学系の物体距離無限遠での状態の時の全系の焦点距離をｆとする。前方レンズ群ＬＦの焦点距離をｆｆ、後方レンズ群ＬＲの焦点距離をｆｒとする。フォーカシングに際して移動する第１レンズ群の無限遠状態（無限遠に合焦した状態）から至近状態（至近に合焦した状態）への移動量をΔｄとする。撮影光学系が有する複数のレンズのうち、最も径が大きいレンズの径（有効径）をＤｍａｘとし、最も径が小さいレンズの径（有効径）をＤｍｉｎとする。
【００７６】
このとき、各数値実施例の撮影光学系は次の条件式のうち少なくとも１つを満足する。
０．９≦Ｆｎｏ≦２．８              ・・・（１）
０．１≦ｆｒ／ｆｆ≦０．７          ・・・（２）
０．１≦｜Δｄ／ｆ｜≦０．５        ・・・（３）
０．１≦｜ＢＦ／ｆ｜≦０．６        ・・・（４）
０．４０≦Ｄｍｉｎ／Ｄｍａｘ＜１．０・・・（５）
【００７７】
以下、条件式（１）〜（５）の技術的意義について説明する。
【００７８】
条件式（１）は撮影光学系のＦナンバーについて適切な範囲を規定するものである。
【００７９】
条件式（１）の上限を上回った場合、口径比が低下する。このため、諸収差、特に球面収差の補正が容易となり、レンズ構成枚数の低減や撮影レンズ系の光学全長短縮といった小型化に有利ではあるが、大口径比の達成が困難となり、大口径比の撮影光学系には好ましくない。
【００８０】
条件式（１）の下限を下回った場合、レンズ径が大型化してしまうとともに、諸収差、特に球面収差の補正が困難となり、これを補正するためにレンズ枚数を増加させる、もしくは光学全長を伸ばす必要がある。その結果、撮影光学系全体が大型化してしまうため好ましくない。
【００８１】
条件式（２）は球面収差を始めとする諸収差の補正を両立するために、前方レンズ群ＬＦの焦点距離と後方レンズ群ＬＲの焦点距離を適切に定めた条件式である。
【００８２】
条件式（２）の上限を上回った場合、前方レンズ群ＬＦの焦点距離が短くなり、後方レンズ群ＬＲの焦点距離が長くなる。この結果、前方レンズ群ＬＦで発生する球面収差を良好に補正することが困難となるため好ましくない。
【００８３】
条件式（２）の下限を下回った場合、前方レンズ群ＬＦの焦点距離が長くなり、後方レンズ群ＬＲの焦点距離が短くなる。この結果、後方レンズ群ＬＲ内で発生する球面収差を小さく抑えることが困難となるため好ましくない。
【００８４】
条件式（３）は光学系全体を小型化しつつ、フォーカシングによる球面収差などの諸収差の変動を小さくするために、フォーカシング群である第１レンズ群Ｌ１の移動量を適切に定めた条件式である。
【００８５】
条件式（３）の上限を上回った場合、第１レンズ群Ｌ１の移動量が長くなり、近距離合焦時に第１レンズ群Ｌ１の繰り出し量が大きくなりすぎるため、光学系全体の小型化が困難となり、好ましくない。
【００８６】
条件式（３）の下限を下回った場合、第１レンズ群Ｌ１の移動量が短くなり、フォーカシングの際の球面収差を始めとする諸収差の変動が大きくなりすぎる。この結果、無限遠から近距離までの全合焦範囲に渡り高い光学性能を得ることが困難となるため好ましくない。また、条件式（３）の下限を下回った場合、第１レンズ群Ｌ１の移動量が短くなり、第１レンズ群Ｌ１が敏感になりすぎるため、製造誤差による性能ばらつきが大きくなってしまうため好ましくない。
【００８７】
条件式（４）は光学系全体を小型化しつつ、諸収差を適切に補正するための条件式である。
【００８８】
条件式（４）の上限を上回った場合、バックフォーカスが長くなり、光学系全体の小型化が困難となるため好ましくない。
【００８９】
条件式（４）の下限を下回った場合、バックフォーカスが短くなり、レンズを交換した際に撮影レンズの最終レンズが撮像素子ＩＰにぶつかってしまう恐れがあるため好ましくない。
【００９０】
条件式（５）は最大のレンズと最小のレンズの有効径の差がどの程度あるかを示した条件式である。条件式（５）の下限を下回ることは最大のレンズと最小のレンズの有効径の差が大きく、撮影光学系の外形形状がくびれた形状になっていることを意味する。撮影光学系の外形形状がくびれた形状の場合にはくびれた箇所に回路基板を設けることが考えられる。しかしながら、各数値実施例における撮影光学系は条件式（５）を満足し、外形形状があまりくびれていないので、前述の第１及び第２実施例にて説明した位置に回路基板を設けている。
【００９１】
条件式（１）〜条件式（５）の数値範囲を以下のように設定すると、先に述べた各条件式が意味する効果をさらに得ることができるため好ましい。
１．０≦Ｆｎｏ≦２．０              ・・・（１ａ）
０．２≦ｆｒ／ｆｆ≦０．７          ・・・（２ａ）
０．１≦｜Δｄ／ｆ｜≦０．５        ・・・（３ａ）
０．１≦｜ＢＦ／ｆ｜≦０．４        ・・・（４ａ）
０．６０≦Ｄｍｉｎ／Ｄｍａｘ＜１．０・・・（５ａ）
【００９２】
条件式（１）〜条件式（５）の数値範囲を以下のように設定してもよい。
１．０≦Ｆｎｏ≦１．５                  ・・・（１ｂ）
０．２≦ｆｒ／ｆｆ≦０．４              ・・・（２ｂ）
０．１≦｜Δｄ／ｆ｜≦０．３            ・・・（３ｂ）
０．１５≦｜ＢＦ／ｆ｜≦０．３５        ・・・（４ｂ）
０．６５≦Ｄｍｉｎ／Ｄｍａｘ＜１．０    ・・・（５ｂ）
【００９３】
（好ましいレンズ構成についての説明）
各数値実施例の撮影光学系では以上のように各要素を構成することにより、大口径比でありながら、レンズ系全体の小型化を達成することが可能となる。さらに球面収差を始めとする諸収差を良好に補正し、高い光学性能が得られる光学系を実現することが可能となる。
【００９４】
各数値実施例の撮影光学系では、レンズ系全体の小型化を達成しつつ全撮影範囲に渡り、高い光学性能を得るために次に示すレンズ構成を採用している。すなわち、物体側から像側へ順に正の屈折力を持つ前方レンズ群ＬＦ、開口絞りＳＰ、正の屈折力を持つ後方レンズ群ＬＲからなるレンズ構成を採用している。このような構成とすることで、大口径化した際にも開口絞り径の小型化と良好な収差補正を両立することができる。
【００９５】
各数値実施例の撮影光学系では、無限遠から近距離へのフォーカシングの際に第１レンズ群Ｌ１を物体側へ移動させている。第１レンズ群Ｌ１を移動するフロントフォーカス方式を採用することで、レンズ外径の小型化、特に前玉径の小型化を達成しつつ、フォーカシング時に発生する球面収差を始めとする諸収差の変動を良好に抑えることができる。
【００９６】
前方レンズ群ＬＦは物体側から像側へ順に正レンズＧ１と負レンズＧ２の接合レンズ、正レンズＧ３、負レンズＧ４、負レンズＧ５と正レンズＧ６の接合レンズの６枚から構成されることが好ましい。前方レンズ群ＬＦをこのように構成することにより、大口径でありながら、レンズ外径および開口絞り径の小型化を達成しつつ、球面収差や非点収差を良好に補正することができる。
【００９７】
後方レンズ群ＬＲは物体側から像側へ順に次に示す９枚のレンズから構成されることが好ましい。すなわち、正レンズＧ７と負レンズＧ８の接合レンズ、正レンズＧ９と負レンズＧ１０の接合レンズ、正レンズＧ１１、正レンズＧ１２と負レンズＧ１３の接合レンズ、負レンズＧ１４と正レンズＧ１５の接合レンズの９枚である。後方レンズ群ＬＲをこのように構成することにより、軸上色収差、倍率色収差の補正および球面収差、非点収差の補正を良好に行うことができる。
【００９８】
以下に各数値実施例における具体的なレンズデータを示す。各数値実施例において、ｉは物体側からの面の順序を示す。Ｒｉはレンズ面の曲率半径、ｄｉは第ｉ面と第ｉ＋１面との間のレンズ肉厚および空気間隔、Ｎｉ、νｄｉはそれぞれｄ線に対する屈折率、アッベ数を示す。
【００９９】
ｋを離心率Ａ４、Ａ６、Ａ８、Ａ１０・・・を非球面係数、光軸からの高さｈの位置での光軸方向の変位を面頂点を基準にしてｘとするとき、非球面形状は、
ｘ＝（ｈ２／Ｒ）／［１＋［１−（１＋ｋ）（ｈ／Ｒ）２］１／２］＋Ａ４ｈ４＋Ａ６ｈ６＋Ａ８ｈ８＋Ａ１０ｈ１０・・・
で表示される。但しＲは近軸曲率半径である。Ｄｉは各レンズ面の有効径である。ここでいう有効径は各レンズ面（屈折面）の最大径の半値あるいは各レンズ面においてもっとも光線高さが高い光線が入る領域の光軸直交方向の幅の半値である。
【０１００】
各数値実施例において、バックフォーカス（ＢＦ）は無限遠合焦時にレンズ最終面から近軸像面までの距離を空気換算長により表したものである。レンズ全長は無限遠合焦時に最も物体側の面から最終レンズ面までの距離にバックフォーカスを加えたものである。レンズ全長は空気換算長ではなく物理的な距離である。また、各数値実施例における上述した条件式との対応を表１に示す。
【０１０１】
（第１数値実施例）
単位 mm
面データ
面番号       r        d      nd         vd             D
1*        82.909    8.39   1.76802    49.2           41.53
2        -68.211    1.50   1.73800    32.3           41.04
3         77.682    0.20                             39.69
4         40.481    6.87   1.95375    32.3           39.87
5        855.015    0.20                             38.95
6         74.822    1.40   1.65412    39.7           36.66
7         25.210    6.56                             32.59
8      -1195.622    1.20   1.66565    35.6           32.44
9         31.561    4.14   2.00100    29.1           31.49
10         75.602    3.47                             30.99
11(絞り)    ∞       3.09
12        -92.693    7.53   1.43875    94.7           30.11
13        -21.093    1.20   1.72047    34.7           29.95
14        349.334    0.20                             32.01
15         55.420   10.37   1.76385    48.5           33.29
16        -29.287    1.30   1.66565    35.6           33.31
17         55.742    0.71                             34.08
18*        65.419    8.32   1.85400    40.4           34.32
19*       -49.838  (可変)                             35.84
20         52.651   10.03   1.88300    40.8           38.43
21        -47.216    1.50   1.66565    35.6           37.95
22         41.182    7.53                             34.70
23        -48.251    1.40   1.61340    44.3           34.71
24        151.332    3.90   1.85400    40.4           36.44
25*      -163.746   14.00                             36.94
像面        ∞
非球面データ
第1面
K = 0.00000e+000  A 4=-1.39341e-006  A 6=-4.81896e-010  A 8= 7.22917e-014  A10= 2.22678e-017
第18面
K = 0.00000e+000  A 4=-2.25923e-006  A 6= 8.73754e-010  A 8=-3.92386e-012  A10=-8.48899e-018
第19面
K = 0.00000e+000  A 4= 1.43503e-006  A 6= 8.01071e-010  A 8=-1.43275e-012
第25面
K = 0.00000e+000  A 4= 2.90301e-006  A 6= 2.73324e-010  A 8= 1.09277e-011  A10=-1.31337e-014  A12= 5.68359e-018
各種データ
焦点距離      51.50
Fナンバー     1.24
画角          22.79
像高          21.64
レンズ全長   106.00
BF            14.00
無限遠      至近
d19            1.00       13.22
レンズ群データ
群  始面    焦点距離
LF    1      172.21
絞り  11       ∞
LR   12      45.97
レンズ群データ
群  始面     焦点距離
L1    1       62.11
L2   20       614.51
単レンズデータ
レンズ  始面  焦点距離
1       1     49.93
2       2    -49.00
3       4     44.37
4       6    -58.78
5       8    -46.18
6       9     51.70
7      12     60.31
8      13    -27.57
9      15     26.49
10      16    -28.67
11      18     34.26
12      20     29.58
13      21    -32.82
14      23    -59.49
15      24     92.62
【０１０２】
（第２数値実施例）
単位 mm
面データ
面番号       r        d      nd         vd                        D
1*         80.110    9.67   1.80400    46.58                    41.50
2        -68.243    1.64   1.68893    31.07                    40.45
3         52.862    0.20                                       38.47
4         42.184    7.47   2.00100    29.13                    38.64
5       2510.576    0.70                                       37.40
6         99.979    1.60   1.65412    39.68                    35.36
7         24.508    7.45                                       31.43
8       -101.919    1.34   1.66565    35.64                    31.36
9         34.799    5.56   1.95375    32.32                    31.67
10        516.053    2.44                                       31.46
11(絞り)    ∞       2.58
12      -1398.232   10.02   1.49700    81.54                    30.74
13        -20.985    1.29   1.73800    32.26                    30.40
14        251.143    0.44                                       32.08
15         87.566    7.29   1.76385    48.51                    32.50
16        -43.447    1.28   1.66565    35.64                    32.70
17        105.692    1.79                                       33.00
18*       161.695    7.96   1.88300    40.80                    33.70
19        -42.423  (可変)                                       35.90
20         54.474    8.77   1.88300    40.80                    38.50
21        -60.531    1.54   1.59551    39.24                    38.00
22         40.560    7.14                                       35.10
23        -58.170    1.21   1.67300    38.15                    35.10
24        105.985    5.08   1.80400    46.58                    36.40
25*      -216.191   14.60                                       36.96
像面        ∞
非球面データ
第1面
K = 0.00000e+000  A 4=-1.44652e-006  A 6=-1.02693e-009  A 8= 1.91678e-012  A10=-3.07794e-015  A12= 2.00476e-018
第18面
K = 0.00000e+000  A 4=-2.17027e-006  A 6= 4.00496e-009  A 8=-1.90948e-011  A10= 4.86536e-014  A12=-4.89586e-017
第25面
K = 0.00000e+000  A 4= 3.50064e-006  A 6=-5.98670e-010  A 8= 1.34319e-011  A10=-2.56798e-014  A12= 2.59930e-017
各種データ
焦点距離      51.10
Fナンバー     1.25
画角          22.95
像高          21.64
レンズ全長   111.01
BF            14.60
無限遠      至近
d19            1.95       16.11
レンズ群データ
群  始面    焦点距離
LF    1      198.77
絞り  11      ∞
LR   12      44.87
レンズ群データ
群  始面     焦点距離
L1    1        61.31
L2   20       586.40
単レンズデータ
レンズ  始面  焦点距離
1       1     47.21
2       2    -43.00
3       4     42.80
4       6    -50.05
5       8    -38.82
6       9     38.91
7      12     42.76
8      13    -26.19
9      15     38.96
10      16    -46.10
11      18     38.77
12      20     33.67
13      21    -40.55
14      23    -55.64
15      24     89.08
【０１０３】
（第３数値実施例）
単位 mm
面データ
面番号       r        d      nd         vd        D
1*        78.899    8.90   1.80400    46.6      41.37
2        -67.718    1.64   1.68893    31.1      40.70
3         47.472    0.20                        38.71
4         40.920    7.47   2.00100    29.1      38.96
5       1429.704    0.40                        37.86
6         72.656    1.40   1.61340    44.3      35.73
7         24.711    6.80                        32.09
8       -324.647    5.80   1.91082    35.3      32.00
9        -31.915    1.90   1.73800    32.3      31.90
10        298.008    3.10                        30.74
11(絞り)    ∞       2.90
12        -63.639    9.20   1.49700    81.5      29.85
13        -19.466    1.29   1.73800    32.3      29.88
14        -73.147    0.44                        31.93
15        307.461    7.29   1.76385    48.5      32.50
16        -33.624    1.28   1.66565    35.6      32.70
17        109.612    1.79                        32.81
18*       244.351    7.96   1.88300    40.8      33.20
19        -42.656  (可変)                        35.33
20         52.456    8.77   1.88300    40.8      38.06
21        -63.325    1.54   1.59551    39.2      37.60
22         37.881    7.14                        34.56
23        -60.219    1.21   1.67300    38.1      34.57
24         84.630    4.80   1.80400    46.6      36.01
25*      -271.123   14.78                        36.56
像面        ∞
非球面データ
第1面
K = 0.00000e+000  A 4=-1.87321e-006  A 6=-2.04579e-009  A 8= 5.76182e-012  A10=-1.07978e-014  A12= 8.19265e-018
第18面
K = 0.00000e+000  A 4=-1.48368e-006  A 6= 1.04147e-008  A 8=-6.04874e-011  A10= 1.74410e-013  A12=-1.93793e-016
第25面
K = 0.00000e+000  A 4= 2.13700e-006  A 6= 1.42005e-008  A 8=-5.68578e-011  A10= 1.36417e-013  A12=-1.25415e-016
各種データ
焦点距離      51.18
Fナンバー     1.24
画角          22.92
像高          21.64
レンズ全長   109.00
BF            14.78
無限遠      至近
d19            1.00       12.61
レンズ群データ
群  始面    焦点距離
LF    1      137.35
絞り  11      ∞
LR   12      48.25
レンズ群データ
群  始面     焦点距離
L1    1       60.90
L2   20       841.47
単レンズデータ
レンズ  始面  焦点距離
1       1     46.59
2       2    -40.28
3       4     41.97
4       6    -61.73
5       8     38.50
6       9    -38.97
7      12     52.78
8      13    -36.31
9      15     40.05
10      16    -38.52
11      18     41.67
12      20     33.69
13      21    -39.58
14      23    -52.10
15      24     80.71
【０１０４】
（第４数値実施例）
単位 mm
面データ
面番号       r        d      nd         vd             D
1*        82.892   12.42   1.76802    49.2           44.32
2        -55.277    1.00   1.73800    32.3           40.45
3         76.505    2.38                             38.99
4         41.265    5.51   1.95375    32.3           39.22
5        419.045    0.67                             38.73
6         85.376    1.00   1.65412    39.7           36.70
7         23.769    6.53                             32.73
8      -86440.894    1.00   1.66565    35.6          32.73
9         30.477    9.98   2.00100    29.1           32.53
10         97.639    3.47                             31.01
11(絞り)    ∞       3.09
12        810.446    9.76   1.43875    94.7           30.20
13        -23.577    1.67   1.72047    34.7           29.71
14        246.328    0.35                             30.96
15         57.202   10.09   1.76385    48.5           31.77
16        -30.594    0.99   1.66565    35.6           31.64
17         56.589    1.73                             35.24
18*        71.756    6.81   1.85400    40.4           37.00
19*       -47.378    0.06                             37.47
20         53.489    9.22   1.88300    40.8           39.23
21        -44.512    1.98   1.66565    35.6           38.99
22         34.871    9.28                             34.33
23        -40.641    1.96   1.61340    44.3           34.36
24      -2480.291    2.96   1.85400    40.4           36.41
25*      -154.750  (可変)                             37.15
像面        ∞
非球面データ
第1面
K = 0.00000e+000  A 4=-1.25274e-006  A 6=-4.14950e-010  A 8= 9.58468e-014  A10= 2.22678e-017
第18面
K = 0.00000e+000  A 4=-2.25923e-006  A 6= 8.73754e-010  A 8=-3.92386e-012  A10=-8.48899e-018
第19面
K = 0.00000e+000  A 4= 1.43503e-006  A 6= 8.01071e-010  A 8=-1.43275e-012
第25面
K = 0.00000e+000  A 4= 2.90301e-006  A 6= 2.73324e-010  A 8= 1.09277e-011  A10=-1.31337e-014  A12= 5.68359e-018
各種データ
焦点距離      51.50
Fナンバー     1.24
画角          22.79
像高          21.64
レンズ全長   113.86
BF             9.96
無限遠      至近
d25            9.96       18.28
レンズ群データ
群  始面    焦点距離
LF    1     197.25
絞り   11       ∞
LR   12      46.00
レンズ群データ
群  始面     焦点距離
L1    1       51.50
単レンズデータ
レンズ  始面  焦点距離
1       1     44.93
2       2    -43.34
3       4     47.65
4       6    -50.68
5       8    -45.77
6       9     41.20
7      12     52.41
8      13    -29.79
9      15     27.46
10      16    -29.70
11      18     34.32
12      20     28.78
13      21    -29.08
14      23    -67.38
15      24    193.15
【０１０５】
（第５数値実施例）
単位 mm
面データ
面番号       r        d      nd         vd             D
1*       140.266    6.00   1.69680    55.5           68.65
2       1025.846    0.50                             67.92
3         45.000   11.63   1.49700    81.5           63.93
4        108.097    0.50                             61.71
5         42.000   13.18   1.49700    81.5           55.95
6        694.581    0.50                             52.55
7        156.475    2.50   0.00000     0.0           48.63
8         27.318   12.04                             38.70
9(絞り)    ∞       9.06
10        -51.011    1.60   0.00000     0.0           31.59
11         34.617    1.00   0.00000     0.0           30.89
12         42.970    7.43   1.95375    32.3           30.88
13        -56.583    1.33                             30.57
14        -40.886    1.60   1.63980    34.5           30.22
15         39.077    5.35   1.43875    94.7           32.26
16        223.158    0.50                             33.68
17*        71.431    8.00   1.80400    46.6           35.86
18*      -109.475  (可変)                             36.63
19       -210.732    7.00   1.72916    54.7           37.53
20        -35.130    2.00   1.58144    40.8           38.00
21         39.845    9.42   1.88300    40.8           40.86
22       -163.260    2.59                             40.83
23        -63.023    2.00   1.54814    45.8           40.70
24       2740.602  (可変)                             41.15
像面        ∞
非球面データ
第1面
K = 0.00000e+000  A 4=-1.51848e-007  A 6=-4.36090e-011  A 8= 5.04956e-015  A10=-1.14037e-017
第17面
K = 0.00000e+000  A 4= 1.30520e-006  A 6=-3.12081e-009  A 8= 1.96852e-011  A10=-4.44505e-014  A12= 4.87726e-017
第18面
K = 0.00000e+000  A 4= 2.19053e-006  A 6=-4.14841e-009  A 8= 2.11600e-011  A10=-4.65008e-014  A12= 5.18116e-017
各種データ
焦点距離      83.20
Fナンバー     1.24
画角          14.58
像高          21.64
レンズ全長   121.31
BF            14.08
無限遠      至近
d18           1.5         16.26
レンズ群データ
群  始面    焦点距離
LF    1     118.64
絞り  9       ∞
LR   10      74.53
レンズ群データ
群  始面     焦点距離
L1    1      97.68
L2   19     185.12
単レンズデータ
レンズ  始面  焦点距離
1       1    232.54
2       3    146.17
3       5     89.35
4       7    -50.11
5      10    -30.75
6      11    282.02
7      12     26.58
8      14    -30.99
9      15    107.02
10      17     54.85
11      19     56.86
12      20    -31.80
13      21     37.08
14      23   -112.36
【０１０６】
【表１】
2020038295.tif 000003
【０１０７】
（変形例）
以上説明した各実施例は代表的な例にすぎず、本発明の実施に際しては、各実施例に対して種々の変形や変更が可能である。
【０１０８】
例えば、前述の各実施例では、２つの磁気シールド部材で駆動コイルを挟み込むように配置したが、１つの磁気シールド部材でもよく、磁気シールド効果が得られるように配置されていればよい。また、前述の各実施例では、回路基板３００と通信基板２１２の２つの基板を有するレンズ装置としたが、必ずしも複数の基板は必要ではなく１つの基板であってもよい。
【０１０９】
前述の各実施例ではデジタルカメラ用の交換レンズについて説明したが、レンズ一体型撮像装置、デジタルビデオカメラ、プロジェクタなどの光学機器が備えるレンズ装置にも適用することができる。
【０１１０】
前述の各数値実施例はズーミングを行わない単焦点レンズであるが、ズーミングが可能なズームレンズに前述の各実施例に記載のレンズ装置の構成を適用してもよい。
【０１１１】
また、前述の各実施例においては、第１レンズ保持枠２０１と第２レンズ保持枠２０２は、互いにビスで固定されている。そして、第２レンズ保持枠２０２は第３レンズ保持枠２０３に対して、カムフォロア２２２により製造工程において位置調整可能に保持されている。そして、製造工程における位置調整が完了したあとは、ＵＶ接着剤などで接着されることで第３レンズ保持枠２０３に対する第２レンズ保持枠２０２の位置は変化しない。
【０１１２】
しかしながら、本発明はこのような構成に限定されるものではない。例えば、第１レンズ保持枠と第２レンズ保持枠ではなく、第１レンズ保持枠と第３レンズ保持枠とを互いにビスで固定してもよい。第１レンズ保持枠と第３レンズ保持枠とが互いにビスで固定されている場合には、第２レンズ保持枠は第１レンズ保持枠に対してカムフォロアにより製造工程において位置調整可能に保持されている。そして、製造工程における位置調整が完了したあとは、ＵＶ接着剤などで接着されることで第１レンズ保持枠に対する第２レンズ保持枠の位置は変化しない。
【０１１３】
また、前述の各実施例においては、第１から第３のレンズ保持枠２０１、２０２、２０３が光軸ＯＡ方向に進退し、フォーカシングが行われる。第１から第３のレンズ保持枠２０１、２０２、２０３以外のレンズ保持枠はフォーカシングの際には光軸ＯＡ方向に進退しない。しかしながら、本発明はこのような構成に限定されるものではない。例えば、全てのレンズ保持枠がフォーカシング時に光軸ＯＡ方向に進退してフォーカシングを行ってもよい。
【０１１４】
ここで、前述の各実施例における駆動コイル３０１ｂ、３０２ｂ、３０３ｂ、３０４ｂについて改めて説明する。３０１ｂ、３０２ｂ、３０３ｂ、３０４ｂのうち、３０１ｂと３０２ｂを駆動コイル、３０３ｂを電源コイル、３０４ｂをフィルタコイルとしてもよい。回路基板３００には制御ＩＣが含まれている。通信基板２１２から出力された電力は、電源コイル３０３ｂ及びフィルタコイル３０４ｂを通じて増幅され、回路基板３００に含まれる制御ＩＣに供給される。回路基板３００に含まれる制御ＩＣは通信基板２１２から送信された駆動指令信号を受信することに応じて駆動コイル３０１ｂ及び３０２ｂにパルス信号を供給する。
【符号の説明】
【０１１５】
１０４  撮像素子
２００  レンズ装置
２０１  第１レンズ保持枠（第１レンズ保持部材）
２１２  通信基板（通信部）
２１５  フィルター枠（筒部材）
３００  回路基板（制御部）
【図１】
2020038295.tif 000004
【図２】
2020038295.tif 000005
【図３】
2020038295.tif 000006
【図４】
2020038295.tif 000007
【図５】
2020038295.tif 000008
【図６】
2020038295.tif 000009
【図７】
2020038295.tif 000010
【図８】
2020038295.tif 000011
【図９】
2020038295.tif 000012
【図１０】
2020038295.tif 000013
【図１１】
2020038295.tif 000014
【図１２】
2020038295.tif 000015
【図１３】
2020038295.tif 000016
【図１４】
2020038295.tif 000017
【図１５】
2020038295.tif 000018
【図１６】
2020038295.tif 000019
【図１７】
2020038295.tif 000020
【図１８】
2020038295.tif 000021
【図１９】
2020038295.tif 000022
【図２０】
2020038295.tif 000023